(57)【要約】【課題】自動車の中に平坦な広いスペースを簡単に作ることができる多目的フロアマットを提供する。【解決手段】多目的フロアマット１０は、例えば、少なくとも後座席の一部を倒し、倒した後座席から後方トランクルームにかけて、複数枚を着脱可能に並べて配置することにより、平坦なスペースを形成するものである。この多目的フロアマット１０は、木材よりなる板状の芯部材１１と、この芯部材１１の少なくとも一方の表面を覆うように設けられたクッション材よりなるクッション層１２とを備えている。【選択図】図２
0003203000.tif 000002
【実用新案登録請求の範囲】
【請求項１】
自動車のキャビン又は後方トランクルームに配置して用いる多目的フロアマットであって、
木材よりなる板状の芯部材と、
この芯部材の少なくとも一方の表面を覆うように設けられたクッション材よりなるクッション層と
を備えたことを特徴とする多目的フロアマット。
【請求項２】
前記芯部材の厚みは３ｍｍ以上１５ｍｍ以下であり、前記クッション層の厚みは２ｍｍ以上１５ｍｍ以下であることを特徴とする請求項１記載の多目的フロアマット。
【請求項３】
少なくとも後座席の一部を倒し、倒した後座席から後方トランクルームにかけて、複数枚を着脱可能に並べて配置することにより、平坦なスペースを形成することを特徴とする請求項１又は請求項２記載の多目的フロアマット。
【請求項４】
複数枚を並べて配置した時における車体の長さ方向に沿った側部の形状は、車体の内側形状に合わせて形成されていることを特徴とする請求項１から請求項３のいずれか１に記載の多目的フロアマット。
【考案の詳細な説明】
【技術分野】
【０００１】
本考案は、自動車のキャビン又は後方トランクルームに配置して用いる多目的フロアマットに関する。
【背景技術】
【０００２】
近年、自動車でアウトドアに出かける人が増えている。そのような場合、自動車の中に、着替えたり、身体を横にして休めるようなスペースを作ることができれば大変便利である。しかしながら、従来は、座席を倒してスペースを作る程度であったので、平坦になるスペースが狭いという問題があった。そのため、身体を横にしても脚を伸ばすことができず、また、身体を自由に動かすことが難しかった。
【先行技術文献】
【特許文献】
【０００３】
【特許文献１】実用新案登録第３１６１５９７号公報
【考案の概要】
【考案が解決しようとする課題】
【０００４】
本考案は、このような問題に基づきなされたものであり、自動車の中に平坦な広いスペースを簡単に作ることができる多目的フロアマットを提供することを目的とする。
【０００５】
なお、特許文献１には、自動車のフロアカーペットの上に配置して用いるフロアマットが記載されている。しかし、このフロアマットは、不織布により構成されているので、強度が足りず、平坦な床面を形成することができない。よって、本考案とは構成及び効果が全く異なっている。
【課題を解決するための手段】
【０００６】
本考案の多目的フロアマットは、自動車のキャビン又は後方トランクルームに配置して用いるものであって、木材よりなる板状の芯部材と、この芯部材の少なくとも一方の表面を覆うように設けられたクッション材よりなるクッション層とを備えたものである。
【考案の効果】
【０００７】
本考案によれば、木材よりなる芯部材と、これを覆うように設けられたクッション層とを備えるようにしたので、軽くかつ十分な強度を得ることができ、自動車の中に配置することにより、平坦な広いスペースを簡単に作ることができる。よって、例えば、アウトドアに出かけた時や、災害発生時等に、自動車の中で着替えたり、身体を横にして脚を伸ばして休むことができる。また、芯部材が適度にしなり、かつ、クッション層による適度な弾力もあるので、寝心地がよく、身体を十分に休めることができる。更に、軽いので、持ち運びや配置を容易に行うことができる。
【０００８】
更にまた、少なくとも後座席の一部を倒し、倒した後座席から後方トランクルームにかけて、複数枚を着脱可能に並べて配置することにより、平坦なスペースを形成するようにすれば、使用時に並べて配置し、保管時にはコンパクトにまとめて収納することができる。よって、取り扱いを容易とすることができる。
【０００９】
加えてまた、複数枚を並べて配置した時における車体の長さ方向に沿った側部の形状を、車体の内側形状に合わせて形成するようにすれば、多目的フロアマットを安定して配置することができると共に、車内のスペースを無駄なく使用することができる。
【図面の簡単な説明】
【００１０】
【図１】本考案の一実施の形態に係る多目的フロアマットの一構成例を表す外観図である。
【図２】図１に示した多目的フロアマットの構成を表す断面図である。
【図３】本考案の一実施の形態に係る多目的フロアマットの使用例を表す写真である。
【図４】本考案の一実施の形態に係る多目的フロアマットの使用例を表す他の写真である。
【考案を実施するための形態】
【００１１】
以下、本考案の実施の形態について、図面を参照して詳細に説明する。
【００１２】
図１は、本考案の一の実施の形態に係る多目的フロアマット１０の外観構成の一例を表すものである。図２は、多目的フロアマット１０の断面構成を表すものである。図３は、多目的フロアマット１０を自動車の車内に配置した状態を表すものである。
【００１３】
この多目的フロアマット１０は、自動車のキャビン又は後方トランクルームに配置して用いるものであり、例えば、少なくとも後座席の一部を倒し、倒した後座席から後方トランクルームにかけて、複数枚を着脱可能に並べて配置することにより、平坦なスペースを形成するものである。このように複数枚を着脱可能に並べて配置することにより、車種によっても異なるが、例えば、小型車であっても、長さ方向に１５０ｃｍから２２０ｃｍ、幅方向に９０ｃｍから１３０ｃｍ程度の平坦な広いスペースを形成することができる。
【００１４】
なお、図３では、後座席の全体を倒し、前座席の後ろから後方トランクルームにかけて全体に多目的フロアマット１０を配置する場合について示したが、後座席の背もたれが複数に分かれており、個別に倒すことができる場合には、後座席の一部の背もたれを倒し、倒した後座席の部分から後方トランクルームにかけて多目的フロアマット１０を配置するようにしてもよい。また、前座席についても倒すことができる場合には、前座席を倒して、前座席から後方トランクルームにかけて多目的フロアマット１０を配置するようにしてもよい。
【００１５】
この多目的フロアマット１０は、木材よりなる板状の芯部材１１と、この芯部材１１の少なくとも一方の表面を覆うように設けられたクッション材よりなるクッション層１２とを備えている。芯部材１１を木材、例えば、ベニヤ板により構成することにより、厚みを厚くしなくても十分な強度を得ることができ、また、軽いので取り扱いが容易となり、しかも、適度にしなるので寝心地を良くすることができる。クッション層１２は、例えば、エチレン・酢酸ビニル共重合樹脂（ＥＶＡ樹脂）により構成することが好ましい。適度なクッション性を有し、汚れに強く、耐摩耗性にも優れるからである。
【００１６】
芯部材１１の厚みは、例えば、３ｍｍ以上１５ｍｍ以下とすることが好ましく、クッション層１２の厚みは、例えば、２ｍｍ以上１５ｍｍ以下とすることがこのましい。十分な強度及びクッション性を得ることができると共に、重さを軽くし、かつ、体積を小さくすることができるからである。クッション層１２は、芯部材１１に対し、ホチキスなどの固定部材により取り付けられていてもよく、また、接着剤などにより取り付けられていてもよい。
【００１７】
多目的フロアマット１０の１枚の大きさは、例えば、縦方向の長さが４５ｃｍから１００ｃｍ程度、横方向の長さが４５ｃｍから６５ｃｍ程度であることが好ましく、車種により、例えば、４枚から６枚程度を並べて配置するようにすることが好ましい。
【００１８】
また、例えば、複数枚の多目的フロアマット１０を並べて配置した時における車体の長さ方向に沿った側部の形状は、車体の内側形状に合わせて形成されていることが好ましい。多目的フロアマット１０を安定して配置することができると共に、車内のスペースを無駄なく使用することができるからである。
【００１９】
この多目的フロアマット１０は、例えば、次のようにして用いることができる。例えば、アウトドアに出かけた時や、災害発生時等に、少なくとも後座席の一部を倒し、倒した後座席から後方トランクルームにかけて、複数枚の多目的フロアマット１０を着脱可能に並べて配置する。これにより、車内に平坦な広いスペースを簡単に形成することができる。また、例えば、図４に示したように、多目的フロアマット１０に棚などをねじで取り付けることもでき、より快適な空間を形成することもできる。更に、保管時には、多目的フロアマット１０を取り外し、コンパクトにまとめて後方トランクルームや物置等に収納しておくことができる。
【００２０】
このように本実施の形態によれば、木材よりなる芯部材１１と、これを覆うように設けられたクッション層１２とを備えるようにしたので、軽くかつ十分な強度を得ることができ、自動車の中に配置することにより、平坦な広いスペースを簡単に作ることができる。よって、例えば、アウトドアに出かけた時や、災害発生時等に、自動車の中で着替えたり、身体を横にして脚を伸ばして休むことができる。また、芯部材１１が適度にしなり、かつ、クッション層１２による適度な弾力もあるので、寝心地がよく、身体を十分に休めることができる。更に、軽いので、持ち運びや配置を容易に行うことができる。
【００２１】
更にまた、少なくとも後座席の一部を倒し、倒した後座席から後方トランクルームにかけて、複数枚を着脱可能に並べて配置することにより、平坦なスペースを形成するようにすれば、使用時に並べて配置し、保管時にはコンパクトにまとめて収納することができる。よって、取り扱いを容易とすることができる。
【００２２】
加えてまた、複数枚を並べて配置した時における車体の長さ方向に沿った側部の形状を、車体の内側形状に合わせて形成するようにすれば、多目的フロアマット１０を安定して配置することができると共に、車内のスペースを無駄なく使用することができる。
【００２３】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２４】
自動車に用いることができる。
【符号の説明】
【００２５】
１０…多目的フロアマット、１１…芯部材、１２…クッション層
【図１】
0003203000.tif 000003
【図２】
0003203000.tif 000004
【図３】
0003203000.tif 000005
【図４】
0003203000.tif 000006